(57)【要約】【課題】原稿の繰込み時と排出時の騒音を極力抑えることができるとともに、原稿の処理に係る時間を短縮できる原稿画像読取装置を提供する。【解決手段】コピー倍率が１００％未満である場合、原稿の繰込み時、読み取り時及び排出時の原稿搬送速度を設定されたコピー倍率、例えば、５０％に対応する読取速度に設定することにより、繰込み時と排出時の騒音を抑える。また、コピー倍率が１００％以上である場合は、原稿の繰込み速度と排出速度をコピー倍率１００％時の原稿読取速度に設定するとともに、原稿の読取速度を設定されたコピー倍率に対応する原稿読取速度に設定する。これにより、原稿の読み取りにかかる時間を短くするとともに、騒音を問題とならないレベルに抑えられる。【選択図】図７
2010199905.tif 000002
【特許請求の範囲】
【請求項１】
原稿読取部と、前記原稿読取部によって画像が読み取られる位置に原稿を１枚ずつ搬送する搬送部と、前記搬送部を制御する制御部とを備え、
原稿の読取速度が所定速度以上の場合、前記制御部が、原稿の繰込み時、読み取り時、排出時の原稿搬送速度を原稿の読取速度となるように制御し、原稿の読取速度が所定速度以下の場合、前記制御部が、原稿の繰込み時、排出時の原稿搬送速度を前記所定速度とし、原稿の読み取り時の原稿搬送速度を原稿の読取速度となるように制御することを特徴とする原稿画像読取装置。
【請求項２】
請求項１に記載された原稿画像読取装置において、
前記搬送部が、繰込みローラ、分離ローラ、レジストローラ、フィードローラ及び排出ローラよりなることを特徴とする原稿画像読取装置。
【発明の詳細な説明】
【技術分野】
【０００１】
本発明は、原稿画像読取装置に関し、特に、オートドキュメントフィーダー（ＡＤＦ）によって原稿の画像を読み取る原稿画像読取装置に関する。
【背景技術】
【０００２】
複写機能、ファクシミリ機能、プリント機能等を有するデジタル複合機、複写機あるいはファクシミリ等の画像形成装置は、オートドキュメントフィーダー（ＡＤＦ）、フラットベッドスキャナ（ＦＢＳ）等の原稿画像読取装置を備えている。ＡＤＦは、原稿トレイ上に積載された複数の原稿から１枚ずつ順序よく自動的に分離・搬送し、所定の原稿搬送速度を継続させた状態で、ＣＣＤ等を備えた原稿読取部で原稿画像を読み取るようになっている。
【０００３】
このようなＡＤＦにおいて、原稿のコピー倍率を等倍から拡大または縮小に変化させて原稿を読み取る場合には、原稿読取速度を等倍時の原稿読取速度より遅くして拡大したり、速くして縮小したりする。このため、原稿読取部の原稿読取速度に原稿搬送速度を合わせる必要がある。
【０００４】
一方、ＡＤＦの原稿搬送時間の短縮を図る場合は、上記のように原稿読取部の読取速度には制約があるので、原稿トレイから原稿読取部に至る原稿の搬送経路内の搬送速度を高速にする制御が行われている。すなわち、図９に示すように、原稿の繰込み開始時期に原稿搬送速度を加速し、原稿読取部に近づいた時点で減速し、原稿読取部においては原稿読取速度で原稿を搬送し、排出時に再び原稿搬送速度を加速するように制御している。
【０００５】
そして、上記の繰込み時、排出時の原稿搬送速度は、読み取り時間のスペックにおいて、少しでも早いほうが有利なため、読取最高速度を採用している。しかしながら、このように、原稿の繰込み時、排出時に原稿搬送速度を常に読取最高速度にすると、原稿読取速度が遅くモータ動作による騒音が比較的小さい場合でも繰込み時と排出時に騒音が大きくなるという問題が生じる。
【０００６】
また、上記のように原稿のコピー倍率を等倍から拡大または縮小に変化させて原稿データを読み取る場合、原稿読取部の原稿読取速度に原稿搬送速度を合わせる必要があり、原稿読取部における制御が複雑となる。このため、原稿を原稿読取速度で連続して搬送することにより原稿読取部における制御を簡略化することが提案されている（例えば、特許文献１参照）。
【先行技術文献】
【特許文献】
【０００７】
【特許文献１】特開２００４−１４２８６５号公報
【発明の概要】
【発明が解決しようとする課題】
【０００８】
上記のように、原稿を原稿読取速度で連続して搬送することにより、原稿読取速度が遅い場合には騒音を小さくすることができるが、原稿読取速度が遅すぎる場合には、原稿が読み取り位置に行くまでに時間がかかるという問題が生じる。
【０００９】
本発明は、上記の問題に鑑みてなされたもので、繰込み時と排出時の騒音を極力抑えることができるとともに、原稿の処理に係る時間を短縮できる原稿画像読取装置を提供することを目的とする。
【課題を解決するための手段】
【００１０】
上述の目的を達成するため、本発明の原稿画像読取装置は、原稿読取部と、前記原稿読取部によって画像が読み取られる位置に原稿を１枚ずつ搬送する搬送部と、前記搬送部を制御する制御部とを備え、原稿の読取速度が所定速度以上の場合、前記制御部が、原稿の繰込み時、読み取り時、排出時の原稿搬送速度を原稿の読取速度となるように制御し、原稿の読取速度が所定速度以下の場合、前記制御部が、原稿の繰込み時、排出時の原稿搬送速度を前記所定速度とし、原稿の読み取り時の原稿搬送速度を原稿の読取速度となるように制御することを特徴とする。
【００１１】
また、本発明の他の原稿画像読取装置は、上記の原稿画像読取装置において、前記搬送部が、繰込みローラ、分離ローラ、レジストローラ、フィードローラ及び排出ローラよりなることを特徴とする。
【発明の効果】
【００１２】
本発明の原稿画像読取装置によれば、原稿の読取速度が所定速度以上の場合、原稿の繰込み時、読み取り時、排出時の原稿搬送速度が原稿の読取速度となるので、繰込み時と排出時の騒音を極力抑えることができる。一方、原稿の読取速度が所定速度以下の場合、原稿の繰込み時、排出時の速度が所定速度となるので、原稿の読み取りにかかる時間を短くできるとともに、騒音を問題とならないレベルに抑えることができる。
【図面の簡単な説明】
【００１３】
【図１】本発明の原稿画像読取装置を使用するデジタル複合機のハードウェア構成を示すブロック図である。
【図２】操作パネルの詳細な構成を示す図である。
【図３】ＡＤＦの詳細な構成を示す図である。
【図４】原稿読み取り時の作用を示すフローチャートである。
【図５】コピー倍率が１００％未満の場合の搬送モータの速度変化を示す図である。
【図６】コピー倍率が１００％未満で原稿が２枚の場合の搬送モータの速度変化を示す図である。
【図７】コピー倍率が１００％以上の場合の搬送モータの速度変化を示す図である。
【図８】コピー倍率が１００％以上で原稿が２枚の場合の搬送モータの速度変化を示す図である。
【図９】従来の搬送モータの速度変化を示す図である。
【実施例】
【００１４】
以下、本発明の原稿画像読取装置をデジタル複合機に使用した実施例について説明する。
図１はデジタル複合機のハードウェア構成を示すブロック図である。ＣＰＵ１はバス１２を介してデジタル複合機のハードウェア各部を制御するとともに、ＲＯＭ（Read  Only  Memory）２に記憶されたプログラムに基づいて各種のプログラムを実行する。ＲＯＭ２はデジタル複合機の動作に必要な種々のプログラム及び操作メッセージ等を予め記憶している。また、ＲＡＭ（Random  Access  Memory）３はＳＲＡＭ（Static  Random  Access
Memory）等で構成され、プログラムの実行時に発生する一時的なデータを記憶する。
【００１５】
操作パネル４は、デジタル複合機の動作状態の表示、あるいは、種々の機能の操作画面の表示を行う表示部と、デジタル複合機を操作するための複数のキーを含む。
図２はこの操作パネル４の詳細な構成を示す図である。表示部を構成するＬＣＤ表示部２１には、タッチパネルスイッチが配設され、ＬＣＤ表示部２１に表示された項目部分を押下することで、対応する項目の選択あるいは機能を実行できる。
【００１６】
また、操作キーとして、テンキー２２、スタートキー２３、リセットキー２４、ストップキー２５、複数のワンタッチダイヤルキー２６、十字キー２７が設けられている。さらに、機能切替キーとして、ＦＡＸ切替キー２８、コピー切替キー２９、スキャナ切替キー３０が設けられている。なお、ＬＣＤ表示部２１によりこれらの操作キーあるいは機能切替キーの一部又は全部を代用することも可能である。
【００１７】
読取部５は、所定位置に載置された原稿をそのまま読み取るフラットベッドスキャナ（ＦＢＳ）方式、及び、オートドキュメントフィーダー（ＡＤＦ）によって搬送される原稿を読み取るＡＤＦ方式のいずれかの方式によって原稿の読み取りを行う。
【００１８】
また、画像メモリ６は、ＤＲＡＭ（Dynamic Random Access Memory）等を用いて構成され、ファクス機能により送信すべき画像データまたは受信した画像データあるいはスキャナ機能で読み取った画像データを記憶する。記録部７は電子写真方式等のプリンタ装置を備え、ファクス受信した画像データ、コピーの画像データあるいは外部のパソコン等から送信された画像データをプリントアウトする。
コーデック８は所定のプロトコルに対応して符号化及び復号するものであり、読み取った原稿の画像データを送信するためにＭＨ、ＭＲまたはＭＭＲ方式により符号化し、外部から受信した画像データを復号する。
【００１９】
モデム９はバス１２に接続されており、ファクシミリ通信が可能なファクスモデムとしての機能を有し、このモデム９は同様にバス１２に接続されたネットワーク制御ユニット（ＮＣＵ）１０と接続されている。ＮＣＵ１０はアナログ回線の閉結及び開放の動作を行うハードウェアであり、必要に応じてモデム９を公衆交換電話網（ＰＳＴＮ）に接続する。
また、ＬＡＮ（Local Area Network）インターフェース（ＬＡＮ  Ｉ／Ｆ）１１はＬＡＮに接続され、信号変換あるいはプロトコル変換などのインターフェース処理を実行する。
【００２０】
図３は読取部５の構成を示す機構図であり、以下、読取部５の詳細について説明する。
ＡＤＦは、原稿積載トレイ３１、原稿搬送部３２、原稿排紙トレイ３３で構成されており、原稿検知センサ３４が設けられた原稿積載トレイ３１には、第１頁の表面を上にした状態で複数枚の原稿３５を積載できる。
なお、３６はプラテンガラスであって、フラットベッドスキャナ（ＦＢＳ）を利用して原稿を読み取る場合に、原稿が載置されるものであり、原稿読取器３７が右方向に移動することにより原稿の画像を読み取る。
【００２１】
原稿検知センサ３４は、原稿積載トレイ３１上の原稿３５の有無を検知するために、例えば、発光素子と受光素子等で構成されたフォトセンサまたは機械的なスイッチ等により構成されている。この原稿検知センサ３４は、原稿積載トレイ３１に原稿３５が積載されていることを検知したときは原稿有り信号を、原稿３５が積載されていないことを検知したときには原稿なし信号をＣＰＵ１に出力する。
【００２２】
一方、原稿搬送部３２には、繰込みローラ４１、分離ローラ４２、レジストローラ４３、フィードローラ４４、４５、４６、押えローラ４７、４８、及び、排出ローラ４９が設けられている。また、原稿の搬送経路に原稿の裏面の画像を読み取るための原稿読取器５０及び原稿の通過を検知するための原稿検知センサ５１、５２、５３が設けられている。
【００２３】
繰込みローラ４１は矢印方向に揺動可能になっており、原稿搬送時には搬送モータ（図示せず）により回転作動して、原稿積載トレイ３１に積載されている原稿３５の最上部の原稿に当接し、１枚の原稿を分離ローラ４２の方向に送る。
分離ローラ４２は繰込みローラ４１から搬送される原稿から１枚のみの原稿を分離するためのものであり、レジストローラ４３は原稿の斜行を取り除くためのものである。
【００２４】
また、フィードローラ４４、４５、４６は、原稿を一対のローラで挟持して、回転作動することにより下流側に搬送するものであり、押えローラ４７、４８は、原稿読取位置で原稿を画像読取面に押し付けるものである。排出ローラ４９は原稿を一対のローラで挟持して回転作動することにより、原稿を原稿排紙トレイ３３に排出する。そして、繰込みローラ４１と分離ローラ４２には第１のクラッチ６１により上記搬送モータの回転が伝達され、レジストローラ４３には第２のクラッチ６２により、フィードローラ４４、４５、４６、排出ローラ４９には第３のクラッチ６３により搬送モータの回転が伝達される。
【００２５】
さらに、原稿検知センサ５１、５２、５３は、原稿３５が搬送されたことを検知するために、原稿の前端部または後端部を検知するものであり、原稿検知センサ３４と同様にフォトセンサ等により構成されている。
原稿読取器３７、５０は、原稿を照明する照射光源とＣＣＤセンサとが一体的に設けられたものであって、原稿読取器３７は、上記のように、プラテンガラス３６の下方空間を、モータやベルト等の駆動機構（図示せず）によって移動可能とされている。
【００２６】
次に、ＡＤＦの原稿載置トレイ３１に載置された原稿の画像読み取り時の作用について図４のフローチャートにより説明する。
ユーザがＡＤＦの原稿載置トレイ３１に原稿３５をセットすることにより、ＬＣＤ表示部２１にコピー設定画面が表示される。このコピー設定画面でユーザがコピー倍率、コピー枚数等をセットした後、スタートボタン２３を押下すれば、ＣＰＵ１は、図４のフローチャートに示す原稿読み取りプログラムを開始する。
【００２７】
図４のフローチャートに示す原稿読み取りプログラムを開始した場合、ＣＰＵ１は、まず、コピー倍率が１００％以上か否かを判定する（ステップ１０１）。コピー倍率が１００％未満であると判定した場合、ＣＰＵ１は、図５に示すように、原稿の繰込み時、読み取り時及び排出時の原稿搬送速度を設定されたコピー倍率、例えば、５０％に対応する読取速度に設定する（ステップ１０２）。
【００２８】
次に、ＣＰＵ１は、原稿の繰込みを開始するとともに、搬送モータを駆動し、クラッチ６１をオンにする（ステップ１０３）。これにより、繰込みローラ４１が揺動して原稿積載トレイ３１に積載されている原稿３５の最上部の原稿に当接するとともに、繰込みローラ４１が回転し、原稿が分離ローラ４２の方向に搬送される。そして、分離ローラ４２の摩擦抵抗の異なる二つのローラにより原稿の１枚のみが分離されてレジストローラ４３の方向に搬送される。この後、原稿が回転していないレジストローラ４３に突き当たるので、原稿が斜めになっていた場合には、平行状態に修正される。
【００２９】
原稿の繰込みを開始した後、ＣＰＵ１は、原稿検知センサ５１が原稿の先端を検知したか否かを判定する（ステップ１０４）。原稿検知センサ５１が原稿の先端を検知したと判定した場合、ＣＰＵ１は、一定時間後にクラッチ６１をオフするとともに、クラッチ６２、６３をほぼ同時にオンする（ステップ１０５）。これにより、レジストローラ４３が回転を開始するので、レジストローラ４３に突き当てられた状態の原稿の搬送が開始され、フィードローラ４４、４５により原稿が原稿読取位置の方向へ搬送される。
【００３０】
次に、ＣＰＵ１は、レジストローラ４３が原稿の搬送を開始してから原稿の搬送速度に応じた所定時間が経過したか否かを判定する（ステップ１０６）。所定時間が経過したと判定した場合、ＣＰＵ１は、クラッチ６２をオフし、レジストローラ４３の回転を停止させる（ステップ１０７）。この後、ＣＰＵ１は、原稿検知センサ３４が原稿を検知しているか否かを判定することにより、原稿積載トレイ３１上に原稿が残っているか否かを判定する（ステップ１０８）。すなわち、原稿載置トレイ３１に１枚しか原稿が載置されなかった場合、あるいは、原稿載置トレイ３１に残っていた最後の１枚の原稿の搬送を完了した場合に、原稿が残っていないと判定する。
【００３１】
ステップ１０８で原稿載置トレイ３１に原稿が残っていないと判定した場合、ＣＰＵ１は、原稿検知センサ５２が原稿の先端を検知したか否かを判定する（ステップ１０９）。原稿検知センサ５２が原稿の先端を検知したと判定した場合、ＣＰＵ１は、原稿読取器３７に原稿の読み取りを開始させるとともに、搬送モータの速度を原稿読取時の速度に切り替える（ステップＳ１１０）。この場合、原稿の繰込み時の原稿搬送速度が設定されたコピー倍率に対応する読取速度に設定されているので、搬送モータの速度切替えは生じない。
なお、原稿の表裏両面の読み取りが指示されていた場合、ＣＰＵ１は、原稿検知センサ５３が原稿の先端を検知したとき、原稿読取器５０により原稿の裏面の画像の読み取りを開始させる。
【００３２】
そして、原稿の裏面の読み取りを行わない場合、原稿検知センサ５３が原稿の後端を検知したとき、搬送モータの速度を排出時の速度に切り替える（ステップ１１１）。この後、一定時間が経過すれば、ＣＰＵ１は、クラッチ６３をオフし、搬送モータを停止して（ステップ１１２）、原稿読み取りプログラムを終了する。なお、原稿の裏面の読み取りを行う場合には、原稿検知センサ５３が原稿の後端を検知してから一定時間後に搬送モータの速度を排出時の速度に切り替える。
【００３３】
以上のように、原稿載置トレイ３１に原稿が１枚のみ載置され、コピー倍率が１００％未満であった場合、図５に示すように、繰込み速度と排出速度が設定されたコピー倍率に対応した原稿読取速度となるので、繰込み時と排出時の騒音を抑えることができる。
【００３４】
一方、ステップ１０８で原稿載置トレイ３１に原稿が残っていると判定した場合、ＣＰＵ１は、原稿検知センサ５２が原稿の先端を検知したか否かを判定する（ステップ１１３）。原稿検知センサ５２が原稿の先端を検知したと判定した場合、ＣＰＵ１は、原稿読取器３７に原稿の読み取りを開始させる（ステップ１１４）。
そして、原稿の読取り開始後一定時間が経過すると、ＣＰＵ１は、図６に示すように、クラッチ６１をオンすることにより、繰込みローラ４１、分離ローラ４２を回転させ、原稿の次の１枚のみを分離してレジストローラ４３に突き当たらせる（ステップ１１５）。
【００３５】
この後、上記と同様に、ＣＰＵ１は、原稿検知センサ５１が原稿の先端を検知したか否かを判定する（ステップ１１６）。そして、原稿検知センサ５１が原稿の先端を検知したと判定した場合、ＣＰＵ１は、一定時間後にクラッチ６１をオフするとともに、クラッチ６２をオンする（ステップ１１７）。これにより、レジストローラ４３が回転するので、レジストローラ４３に突き当てられた状態の２枚目の原稿の搬送が開始され、フィードローラ４４、４５により２枚目の原稿が原稿読取位置の方向へ搬送される。なお、読取が完了した１枚目の原稿は排出ローラ４９により原稿排紙トレイ３３に排出される。
【００３６】
次に、ＣＰＵ１は、レジストローラ４３が原稿の搬送を開始してから原稿の搬送速度に応じた所定時間が経過したか否かを判定する（ステップ１１８）。所定時間が経過したと判定した場合、ＣＰＵ１は、クラッチ６２をオフし、レジストローラ４３の回転を停止させる（ステップ１１９）。この後、ＣＰＵ１は、再び、原稿検知センサ３４が原稿を検知しているか否かを判定することにより、原稿積載トレイ３１上に原稿が残っているか否かを判定する（ステップ１２０）。
【００３７】
ステップ１２０で原稿載置トレイ３１に原稿が残っていないと判定した場合、ＣＰＵ１は、ステップ１０９に移り、原稿検知センサ５２が原稿の先端を検知したか否かを判定し、２枚目の原稿の読み取りを実行する。
また、ステップ１２０で原稿載置トレイ３１に原稿が残っていると判定した場合、ＣＰＵ１は、ステップ１１３に移り、同様に、原稿検知センサ５２が原稿の先端を検知したか否かを判定して２枚目の原稿の読み取りを実行する。
【００３８】
これにより、原稿載置トレイ３１に載置された原稿が２枚で、コピー倍率が１００％未満であった場合、図６に示すように、クラッチのオン、オフが実行されるが、繰込み速度と排出速度は設定されたコピー倍率に対応した読取速度となる。したがって、原稿が１枚のときと同様に、繰込み時と排出時の騒音を抑えることができる。
【００３９】
一方、ステップ１０１でコピー倍率が１００％以上であると判定した場合、ＣＰＵ１は、図７に示すように、原稿の繰込み速度と排出速度をコピー倍率１００％時の原稿読取速度に設定するとともに、原稿の読み取り速度を設定されたコピー倍率に対応する原稿読取速度に設定する（ステップ１２１）。
以下、上記と同様に、原稿の搬送、原稿の読み取り、原稿の排出が行われるが、以下の作用は上記と同様であるので、詳細な説明は省略する。
【００４０】
そして、原稿が１枚でコピー倍率が１００％以上の場合、図７に示すように、コピー倍率１００％時の原稿読取速度で原稿の繰込み、排出が行われるとともに、設定されたコピー倍率に対応する原稿読取速度で原稿の読み取りが行われる。また、原稿が複数枚の場合も、同様に、図８に示すように、コピー倍率１００％時の原稿読取速度で原稿の繰込み、排出が行われるとともに、設定されたコピー倍率に対応する原稿読取速度で原稿の読み取りが行われる。
【００４１】
以上のように、コピー倍率が１００％以上の場合、繰込み速度と排出速度がコピー倍率１００％時の原稿読取速度に設定されるので、原稿の読み取りにかかる時間を短くできるとともに、騒音を問題とならないレベルに抑えることができる。
【００４２】
なお、上記の実施例では、設定されたコピー倍率を判定することにより原稿の搬送速度を設定したが、原稿読取速度を判定することにより原稿の搬送速度を設定してもよい。例えば、解像度等も変更できるような場合には、コピー倍率、解像度等より原稿読取速度を演算し、演算した原稿読取速度を判定することにより原稿の搬送速度を設定する。
【００４３】
また、上記の実施例では、本発明の原稿画像読取装置をデジタル複合機に使用した例について説明したが、コピー機能及びプリンタ機能を持たない通常のファクシミリ装置等にも本発明の原稿画像読取装置を使用できる。
【符号の説明】
【００４４】
３１  原稿積載トレイ
３２  原稿搬送部
３３  原稿排紙トレイ
３４、５１、５２、５３  原稿検知センサ
３５  原稿
３６  プラテンガラス
３７、５０  原稿読取器
４１  繰込みローラ
４２  分離ローラ
４３  レジストローラ
４４、４５、４６  フィードローラ
４７、４８  押えローラ
４９  排出ローラ
【図１】
2010199905.tif 000003
【図２】
2010199905.tif 000004
【図３】
2010199905.tif 000005
【図４】
2010199905.tif 000006
【図５】
2010199905.tif 000007
【図６】
2010199905.tif 000008
【図７】
2010199905.tif 000009
【図８】
2010199905.tif 000010
【図９】
2010199905.tif 000011